(57)【要約】      （修正有）【課題】広画角、高解像力、倍率色収差小、Ｆ値小で明るい、縮小側でテレセントリック、歪曲収差が小さい。【解決手段】反射部材と、反射部材より拡大側の光路上に位置し負の屈折力を持つ第１レンズ群Ｉと、縮小側の光路上に位置し正の屈折力を持つ第２レンズ群ＩＩとを有し、全系の焦点距離：ｆ、全系の空気中におけるバックフォーカス：Ｂｆ、第１レンズ群の焦点距離の逆数：φ１Ｇ、第２レンズ群の焦点距離の逆数：φ２Ｇ、第２レンズ群に含まれる負の屈折力を持つレンズの材質中、最も高い屈折率を持つもののｄ線に対する屈折率：ｎ２ＧＮ、第２レンズ群中のレンズ材質で負屈折力であり最高屈折率であるものの部分分散比（ｎｇ−ｎＦ）／（ｎＦ−ｎｃ）：ＰｇＦ２ＧＮが、条件：（１）４．０≦Ｂｆ／ｆ≦６．０  （２）２≦｜φ１Ｇ｜／φ２Ｇ≦３  （３）ｎ２ＧＮ≧１．８７  （４）ＰｇＦ２ＧＮ≦０．６を満足する。【選択図】図１
2006235372.tif 000002
【特許請求の範囲】
【請求項１】
平面画像を拡大して投写結像させる投写用レンズであって、
レンズ系内で光路を折り曲げるための反射部材と、この反射部材よりも拡大側の光路上に配置されて負の屈折力を持つ第１レンズ群と、上記反射部材よりも縮小側の光路上に配置されて正の屈折力を持つ第２レンズ群とを有し、
全系の焦点距離：ｆ、
全系の空気中におけるバックフォーカス：Ｂｆ、
第１レンズ群の焦点距離の逆数：φ１Ｇ、
第２レンズ群の焦点距離の逆数：φ２Ｇ、
第２レンズ群に含まれる負の屈折力を持つレンズの材質中、最も高い屈折率を持つもののｄ線に対する屈折率：ｎ２ＧＮ、
第２レンズ群に含まれる負の屈折力を持つレンズの材質中、最も高い屈折率を持つものの部分分散比：ＰｇＦ２ＧＮ（＝（ｎｇ−ｎＦ）／（ｎＦ−ｎｃ））が、以下の条件：
（１）  ４．０  ≦  Ｂｆ／ｆ  ≦  ６．０
（２）    ２    ≦  ｜φ１Ｇ｜／φ２Ｇ  ≦  ３
（３）    ｎ２ＧＮ≧  １．８７
（４）  ＰｇＦ２ＧＮ  ≦  ０．６
を満足することを特徴とする投写用レンズ。
【請求項２】
請求項１記載の投射用レンズにおいて、
第１レンズ群の最も拡大側に位置するレンズ面から、最も反射部材寄りに位置するレンズ面までの光軸上における距離：Ｌ１Ｇ、
第１レンズ群の最も拡大側に位置するレンズ面から、第２レンズ群の最も縮小側に位置するレンズ面までの光軸上における距離：ＯＡＬ
が条件：
（５）  ０．１  ≦  Ｌ１Ｇ／ＯＡＬ  ≦  ０．３      
を満足することを特徴とする投写用レンズ。
【請求項３】
請求項１または２記載の投射用レンズにおいて、
第１レンズ群は２枚のレンズからなり、
第１レンズ群の拡大側から２番目のレンズの拡大側の面の曲率半径：Ｌ２Ｒ１、
第１レンズ群の拡大側から２番目のレンズの縮小側の面の曲率半径：Ｌ２Ｒ２
が条件：
（６）  ５．０  ≦  ｜Ｌ２Ｒ１｜／Ｌ２Ｒ２
を満足することを特徴とする投写用レンズ。
【請求項４】
請求項１〜３の任意の１に記載の投射用レンズにおいて、
第１レンズ群と第２レンズ群の間に絞りを有することを特徴とする投写用レンズ。
【請求項５】
請求項１〜４の任意の１に記載の投射用レンズにおいて、
第２レンズ群が拡大側から順に、正レンズ、負レンズ、正レンズ、正レンズ、負レンズと正レンズが貼り合わされた接合レンズ、正レンズの７枚のレンズを配してなることを特徴とする投写用レンズ
【請求項６】
請求項１〜５の任意の１に記載の投写用レンズを搭載したプロジェクタ装置。
【発明の詳細な説明】
【技術分野】
【０００１】
この発明は液晶パネル等の画像表示用デバイスに表示された平面画像を拡大して投射する投写用レンズおよびこの投射用レンズを用いるプロジェクタ装置に関する。
【背景技術】
【０００２】
近年「スクリーンの背面から画像を投写し、スクリーンの反対側から映像を観察するリア型プロジェクタ」がＴＶ放送、ビデオ再生画像やコンピュータ画像の表示装置として普及してきている。リア型プロジェクタは以前から存在するが、近来の傾向として、画面サイズが大きく、奥行きが小さくなり、投射画像の高精細化のために、画像表示用デバイスの画素ピッチが小さくなってきている。
【０００３】
従って、リア型プロジェクタに用いられる投射用レンズには、装置の奥行きを小さくできるように画角が広画角で、高い解像力を持つことが特に要求される。
【０００４】
更に、投射された画像のサイズが色ごとに異なると見苦しい画面となるため、倍率色収差が小さく抑えられていることや、照明側の光を有効に使用するため、Ｆ値の小さく明るいレンズであることが求められる。
【０００５】
また、画像表示用デバイスとして透過型液晶、反射型液晶、あるいはＤＭＤ（デジタル・ミラー・デバイス）が用いられたことにより、照明光として「光軸に対して平行な光線成分」が主に用いられる場合には、画像表示用デバイス側である縮小側においてテレセントリックであることが要求される。また、投射される画像の形状再現性を損なわないために歪曲収差が小さいことも求められる。
【０００６】
出願人は先に、スクリーン背面側の厚み（奥行き）を有効に薄くできるように「投射用レンズ内に反射面を設けて光路をレンズ系内部で屈曲させるようにしたもの」を提案した（特許文献１、２）
【特許文献１】特開２００４−３５４４０５
【特許文献２】特開２００４−３３３６８８
【発明の開示】
【発明が解決しようとする課題】
【０００７】
この発明は、特許文献１、２に記載された「投射用レンズ内に反射面を設けて光路をレンズ系内部で屈曲させるようにしたタイプの投射用レンズ」において、上記諸要請を有効に満足し得る新規な投射用レンズおよびこの投射用レンズを用いるリア型のプロジェクタ装置の実現を課題とする。
【課題を解決するための手段】
【０００８】
この発明の投写用レンズは、「平面画像を拡大して投写結像させる投写用レンズ」である。上記「平面画像」は一般に、透過型または反射型の液晶パネルやＤＭＤなどの「画像表示用デバイス」上に表示される画像である。
【０００９】
この発明の投射用レンズは、図１に例示するように、光路を折り曲げるための反射部材ＲＦと、この反射部材ＲＦよりも拡大側の光路上に配置されて負の屈折力を持つ第１レンズ群Ｉと、反射部材ＲＦよりも縮小側の光路上に配置されて正の屈折力を持つ第２レンズ群ＩＩとを有する。なお、図１において、符号ＳＴは「絞り」、符号ＣＧは「画像表示用デバイスのカバーガラス」を示している。
【００１０】
請求項１記載の投射用レンズは、上記の如き構成において、
全系の焦点距離：ｆ、
全系の空気中におけるバックフォーカス：Ｂｆ、
第１レンズ群の焦点距離の逆数：φ１Ｇ、
第２レンズ群の焦点距離の逆数：φ２Ｇ、
第２レンズ群に含まれる負の屈折力を持つレンズの材質中、最も高い屈折率を持つもののｄ線に対する屈折率：ｎ２ＧＮ、
第２レンズ群に含まれる負の屈折力を持つレンズの材質中、最も高い屈折率を持つものの部分分散比（ｎｇ−ｎＦ）／（ｎＦ−ｎｃ）：ＰｇＦ２ＧＮが、以下の条件：
（１）  ４．０  ≦  Ｂｆ／ｆ  ≦  ６．０
（２）      ２  ≦  ｜φ１Ｇ｜／φ２Ｇ  ≦  ３
（３）      ｎ２ＧＮ≧  １．８７
（４）  ＰｇＦ２ＧＮ  ≦  ０．６
を満足することを特徴とする。
【００１１】
この請求項１記載の投射用レンズは、
第１レンズ群の最も拡大側に位置するレンズ面から、最も反射部材寄りに位置するレンズ面までの光軸上における距離：Ｌ１Ｇ、
第１レンズ群の最も拡大側に位置するレンズ面から、第２レンズ群の最も縮小側に位置するレンズ面までの光軸上における距離：ＯＡＬ
が条件：
（５）  ０．１  ≦  Ｌ１Ｇ／ＯＡＬ  ≦  ０．３      
を満足することが好ましい（請求項２）。
【００１２】
請求項１または２記載の投射用レンズは、
第１レンズ群が２枚のレンズからなり、
第１レンズ群の拡大側から２番目のレンズの拡大側の面の曲率半径：Ｌ２Ｒ１、
第１レンズ群の拡大側から２番目のレンズの縮小側の面の曲率半径：Ｌ２Ｒ２
が条件：
（６）  ５．０  ≦  ｜Ｌ２Ｒ１｜／Ｌ２Ｒ２
を満足する構成とすることが好ましい。
【００１３】
請求項１〜３の任意の１に記載の投射用レンズは、図１に例示したもののように「第１レンズ群Ｉと第２レンズ群ＩＩの間に絞りＳＴを有する」ことができる（請求項４）。  
請求項１〜４の任意の１に記載の投射用レンズは、図１に例示したもののように、第２レンズ群ＩＩが拡大側から順に正レンズ、負レンズ、正レンズ、正レンズ、「負レンズと正レンズが貼り合わされた接合レンズ」、正レンズの７枚のレンズを配してなる構成とすることができる（請求項５）。
【００１４】
この発明のプロジェクタ装置は請求項１〜５の任意の１に記載の投写用レンズを搭載したものでありリア型である。
【００１５】
説明を補足すると、この発明の投写用レンズはリア型プロジェクタ装置に用いられるが、リア型プロジェクタ装置本体（プロジェクタ部分とスクリーンを含めた全体）は薄型化が進みつつあり、投写用レンズには広角化が求められている。
【００１６】
この種のレンズに多く見られるように、この発明の投射用レンズでも、拡大側に負の屈折力を持つ第１レンズ群を配し、縮小側に正の屈折力を持つ第２レンズ群を配することにより「全体としてレトロフォーカス型」として広角化に対応している。
【００１７】
また、第１レンズ群と第２レンズ群の間に「光路を折り曲げる反射部材」としてミラーやプリズム等を挿入し、プロジェクタ装置本体内において、図１に示すような「レンズ系内で光路の屈曲した配置」をとることにより、プロジェクタ装置本体の薄型化を達成し易くしている。
【００１８】
上記各条件を説明する。  
条件（１）は、縮小側において「照明光を導くためのミラーやプリズム、あるいは色合成用のダイクロイックプリズムやダイクロイックミラーなど」を挿入できる空間や、反射型の画像表示用デバイスを用いたときに「照明光を投写用レンズ側から斜入射させる」ための空間を確保しつつ「短い投写距離で大画面を投写できるようなレンズの焦点距離」を規制する条件である。
【００１９】
条件（１）の下限を越えると、投射用レンズ縮小側の空間が狭くなるか、または焦点距離が長くなって投写距離もそれに比例して長くなってしまう。また、条件（１）の上限を超えると全系の縮小側主点がレンズから離れすぎ、「歪曲のない高解像力の投射画像」を得るという「基本的性能」の確保が困難となる。
【００２０】
条件（２）は前述のような「縮小側における十分な空間」の確保、広画角化、結像性能の確保をより行い易くするための条件であり、下限を超えると第１レンズ群の屈折力が、第２レンズ群の屈折力に対して相対的に弱くなり「第１レンズ群と第２レンズ群の間隔」を非常に大きくとらねばならなくなり、投射用レンズ全体が長大化する。条件（２）の上限を超えると、第２レンズ群に対する第１レンズ群の屈折力が相対的に強くなりすぎて諸収差を増大させ、第２レンズ群での諸収差の補正が困難となる。
【００２１】
この発明の投射用レンズのように、光路をレンズ系内で折り曲げる構成で「レンズ長が折り曲げないものに比べて大幅に長くなるレンズ」では、第１レンズ群と第２レンズ群とで近軸光線高さが大幅に異なる。即ち、近軸光線高さは第１レンズ群では低めであるが、第２レンズ群では「第１レンズ群における光線高さの数倍の高さ」となる。このため、像面湾曲の指標であるペッツバール和が小さくなりすぎて負の値をとり易い。
【００２２】
条件（３）は、このような状況を回避するためのものであり、第２レンズ群に負レンズが複数枚含まれる場合は、少なくともそのうち１つのレンズの材質を条件（３）のように「非常に高め」のものとすることにより、負レンズのペッツバール和への寄与を有効に小さくすることにより、平坦な像面を得やすくしている。
【００２３】
この発明の投射用レンズのような広角レンズでは、倍率色収差の補正が非常に困難であるが「条件（４）を満足するような部分分散比を持つ材質」を、第２レンズ群中で最も屈折力の大きい負レンズに用いることで、短波長から長波長までのバランスの取れた倍率色収差の補正を実現できる。
【００２４】
条件（４）の上限を超えると、長波長側の倍率色収差に対して「短波長側の倍率色収差の動き」が急峻にすぎ、基準波長（後述の実施例では５５０ｎｍ）に対し、短波長側は十分に補正されるが、長波長側は補正不十分なものとなる。
【００２５】
また、この発明の投射用レンズのような広角レンズでは、第１レンズ群の、特に「最も拡大側寄りのレンズ」のレンズ径が非常に大きくなりがちであるが、条件（５）は、広画角でありながらレンズ径を小さく、安価なものとするための条件である。
【００２６】
条件（５）の上限を超えると「拡大側の瞳位置」が第１レンズ群の拡大側の面から離れて反射部材に近づいていくため第１レンズ群の径が大径化し、下限を超えると、第１レンズ群の径は小さく抑えられるが、反面、歪曲収差、像面湾曲の補正が困難となる。
【００２７】
安価な投射用レンズを実現するために、径の大きなレンズを非球面化し、更にガラスではなく樹脂による成型で製作することは、この種のレンズでは一般的な手法であるが、そのような構成とした場合、樹脂は「屈折率が低く、環境変化による変形量も大きい」ため大きな屈折力を持たせることができず、結果として、ガラスレンズに屈折力が集中する。
【００２８】
大きな屈折力を持つガラスレンズの形状が条件（６）を満たさず、条件（６）の下限を超えると、該ガラスレンズの拡大側（縮小側レンズ面に対する相対的な曲率が大きい。）において大きな歪曲収差が発生し、他のレンズによる補正が困難となる。
【００２９】
また、主に平行光束を照明に用いる場合「投写用レンズの縮小側においてテレセントリックである」ことが望ましいが、第１レンズ群と第２レンズ群の間に絞りを配置することにより「軸外主光線を、縮小側の空間において光軸に対してほぼ平行とする」ことができ、テレセントリック性を確保できる。
【発明の効果】
【００３０】
上記の如く、この発明の投射用レンズは、上記の如き構成により、明るく、広画角で、長いバックフォーカスをもち、歪曲が少なく、高い結像性能を実現できる。
【発明を実施するための最良の形態】
【００３１】
本発明の実施例を以下に記す。  
以下に投射用レンズの実施の形態として具体的な数値実施例を３例挙げる。  
各実施例に用いられている記号の意味は以下のとおりである。
【００３２】
ＩＭＧ：画像表示面
Ｒｉ：拡大側から数えて第ｉ番目のレンズ面の曲率半径
Ｄｉ：拡大側から数えて第ｉ番目のレンズ面と第ｉ＋１番目のレンズ面との軸上面間隔
Ｄｏ：スクリーン側から第１番目のレンズ面までの距離
Ｎｊ：拡大側から数えて第ｊ番目のレンズのｄ線に対する屈折率
νｊ：拡大側から数えて第ｊ番目のレンズのアッべ数
ＰｇＦ２ＧＮｊ：拡大側から数えて第ｊ番目のレンズの部分分散比            。
【００３３】
各実施例に用いられた非球面の形状は、光軸方向の座標：Ｚ、光軸直交方向の座標：ｈ、軸上曲率半径：Ｒｉ、円錐定数：Ｋ、高次の係数：Ａ，Ｂ，Ｃ、Ｄ，Ｅ、Ｆ、Ｇを用いて周知の非球面式：
Ｚ＝（１／Ｒｉ）・ｈ2／［１＋√｛１−（Ｋ＋１）・（１／Ｒｉ）2・ｈ2｝］
＋Ａ・ｈ4＋Ｂ・ｈ6＋Ｃ・ｈ8＋Ｄ・ｈ10＋E・ｈ12＋F・ｈ14＋ G・ｈ16
で表し、上記Ｒｉ、Ｋ、Ａ，Ｂ，Ｃ、Ｄ，Ｅ、Ｆ、Ｇの値を与えて形状を特定する。  
なお、各実施例とも計算基準波長は５５０ｎｍである。
【００３４】
また、各実施例は符号の混乱を避けるため「折り曲げ用の反射部材のない直線光学系」として表現されている。長さの次元を持つ量の単位は特に断らない限り「ｍｍ」である。
【実施例１】
【００３５】
ｉ           Ｒｉ          Ｄｉ        ｊ      Ｎｊ        νｊ    ＰｇＦ
0            ∞          590.000   
1        -118.35305（＊）  5.000       1     1.49154     57.8     0.545  
2          76.55042（＊） 20.000                            
3        -196.18816        2.000       2     1.77250     49.6     0.550 
4          19.67858       87.0544 （反射部材挿入部）                   
5（絞り）  ∞             11.863995                        
6          26.75972        6.685335    3     1.84666     23.8     0.619  
7         -36.83243        0.500                       
8         -31.86537        5.500       4     1.90366     31.3     0.595 
9          20.33193        0.535881                       
10          22.50981        5.732204    5     1.48749     70.4     0.531 
11         -79.98690        2.169560                        
12          74.84632        6.736599    6     1.49700     81.6     0.539 
13         -20.24763        0.500                       
14         -23.84893        2.900       7     1.90366     31.3     0.595 
15          26.61008        7.186707    8     1.48749     70.4     0.531 
16         -34.36689        0.500                       
17          34.87926        6.635256    9     1.49700     81.6     0.539 
18         -52.15952       37.5      
19           ∞             3.000       10    1.486400    66.6      
20           ∞             0.0                       
ＩＭＧ         ∞                                                  
第１９面、第２０面は画像表示用デバイスのカバーガラスの両面である。また、（＊）を付した面は非球面である。
【００３６】
非球面
第１面
K ＝  0.000   
A ＝0.321517E-04  B ＝-0.554040E-07  C ＝0.838695E-10  D ＝-0.941301E-13
E ＝0.710416E-16   F ＝-0.310018E-19   G ＝0.589780E-23                 。
【００３７】
第２面  
K  ＝  0.000   
A ＝0.270826E-04  B ＝-0.223720E-07  C ＝ -0.266351E-11  D＝ 0.495250E-14  
上の表記に於いて、例えば「0.495250E-14」は「0.495250×10-14」を意味する。以下においても同様である。。
【００３８】
各条件のパラメータの値
条件（１）    5.89      
条件（２）    2.77
条件（３）    1.9036
条件（４）    0.595
条件（５）    0.157
条件（６）    9.9                                                  。
【実施例２】
【００３９】
ｉ          Ｒｉ          Ｄｉ       ｊ     Ｎｊ      νｊ      ＰｇＦ
0          ∞          630.000     
1      -112.10996(*)     5.000       1    1.49154    57.8     0.545
2       142.32549(*)    18.452447               
3      1748.54012        2.000       2    1.77250    49.6     0.550
4        19.73624       87.167（反射部材挿入部）
5（絞り）  ∞           14.847044                         
6        27.36665        7.087918    3    1.84666    23.8     0.619
7       -36.50765        0.500412                            
8       -30.62906        2.885455    4    1.87000    30.1     0.595
9        25.00939        1.497899                           
10        48.91799        5.483100    5    1.48749    70.4     0.531
11      -102.62745        1.012683                            
12        52.39013        7.969849    6    1.49700    81.6     0.539
13       -21.43585        2.248413                            
14       -22.49771        4.000       7    1.87000    30.1     0.595  
15        29.78422        7.685895    8    1.49700    81.6     0.539  
16       -33.59302        0.500                            
17        35.05317        7.412115    9    1.49700    81.6     0.539 
18       -50.69144       33.294                            
19         ∞             3.000            1.51680    64.2 
20         ∞             0.0                         
ＩＭＧ       ∞                                       
第１９面、第２０面は画像表示用デバイスのカバーガラスの両面である。また（＊）を付した面は非球面である。
【００４０】
非球面
第１面
K ＝ 0.000  
A ＝0.320785E-04  B ＝-0.532818E-07  C ＝0.836817E-10  D ＝-0.971441E-13
E ＝0.730288E-16  F ＝-0.306165E-19  G ＝0.537772E-23  
第２面
K ＝ 0.000 
A ＝0.283107E-04  B ＝-0.221315E-07  C ＝-0.699929E-12  D ＝0.346657E-14  。
【００４１】
各条件のパラメータの値
条件（１）    4.91    
条件（２）    2.22
条件（３）    1.87
条件（４）    0.595
条件（５）    0.144
条件（６）    88.6
【実施例３】
【００４２】
ｉ            Ｒｉ        Ｄｉ          ｊ     Ｎｊ      νｊ      ＰｇＦ
O            ∞         620.000        
1      -109.43980(*)      5.000         1   1.491540    57.8     0.545
2       156.75706(*)     14.395625         
3      -377.06828         2.000         2   1.77250     49.6     0.550
4        20.61504        93.1
5（絞り）  ∞            11.497346                          
6        26.94293         7.222491      3   1.84666     23.8     0.619  
7       -32.39280         0.500                            
8       -27.92039         4.825236      4   1.87000     30.1     0.595
9        23.94773         1.177708                            
10        38.79667         4.850489      5   1.48749     70.4     0.531
11       -63.06204         0.500                            
12        64.24860         7.231580      6   1.49700     81.6     0.539 
13       -19.55889         0.500                            
14       -22.49802         4.000         7   1.87000     30.1     0.595 
15        21.96135         7.841630      8   1.48749     70.4     0.531  
16       -37.66340         3.325334                            
17        37.41182         8.532030      9   1.49700     81.6     0.539 
18       -36.62523        32.5                            
19         ∞              3.000             1.48640     66.6      
20        ∞              0.0       
ＩＭＧ      ∞                   
第１９面、第２０面は画像表示用デバイスのカバーガラスの両面である。また（＊）を付した面は非球面である。
【００４３】
非球面
第１面
K ＝ 0.000   
A ＝0.319385E-04  B ＝-0.525809E-07  C ＝0.839521E-10  D ＝-0.970182E-13
E ＝0.730044E-16  F ＝-0.304735E-19  G ＝0.549432E-23               
第２面
K ＝ 0.000   
A ＝0.258857E-04  B ＝-0.212155E-07  C ＝-0.167985E-11  D ＝0.426610E-14  。
【００４４】
各条件のパラメータの値
条件（１）    4.84    
条件（２）    2.25
条件（３）    1.87
条件（４）    0.595
条件（５）    0.121
条件（６）    18.3                                              。
【００４５】
図２に実施例１の投射用レンズの断面図を「光路の折り曲げを省略した状態」で示す。図３に実施例１の投射用レンズに関する縦収差図、図４に実施例１の投射用レンズに関する横収差図を示す。縦収差を示す図３で、非点収差の図の「Ｓ」はサジタル像面、「Ｔ」はタンジェンシャル像面を示す。また、実施例１において赤・緑・青を表すＲ、Ｇ、Ｂの波長はそれぞれＲ：６４０ｎｍ、Ｇ：５５０ｎｍ、Ｂ：４４０ｎｍとしている。
【００４６】
図５に実施例２の投射用レンズの断面図を「光路の折り曲げを省略した状態」で示す。図６に実施例２の投射用レンズに関する縦収差図、図７に実施例２の投射用レンズに関する横収差図を、それぞれ図３、図４に倣って示す。実施例２においては、赤・緑・青を表すＲ、Ｇ、Ｂの波長をそれぞれＲ：６５０ｎｍ、Ｇ：５５０ｎｍ、Ｂ：４５０ｎｍとしている。
【００４７】
図８に実施例３の投射用レンズの断面図を「光路の折り曲げを省略した状態」で示す。図９に実施例３の投射用レンズに関する縦収差図、図１０に実施例３の投射用レンズに関する横収差図を、それぞれ図３、図４に倣って示す。実施例３においては、赤・緑・青を表すＲ、Ｇ、Ｂの波長はそれぞれＲ：６４０ｎｍ、Ｇ：５５０ｎｍ、Ｂ：４４０ｎｍである。
【００４８】
上に挙げた実施例１〜３の投射用レンズは何れも、平面画像を拡大して投写結像させる投写用レンズであって、光路を折り曲げるための反射部材ＲＦと、この反射部材ＲＦよりも拡大側の光路上に配置されて負の屈折力を持つ第１レンズ群Ｉと、反射部材ＲＦよりも縮小側の光路上に配置されて正の屈折力を持つ第２レンズ群ＩＩとを有し、
全系の焦点距離：ｆ、
全系の空気中におけるバックフォーカス：Ｂｆ、
第１レンズ群の焦点距離の逆数：φ１Ｇ、
第２レンズ群の焦点距離の逆数：φ２Ｇ、
第２レンズ群に含まれる負の屈折力を持つレンズの材質中、最も高い屈折率を持つもののｄ線に対する屈折率：ｎ２ＧＮ、
第２レンズ群に含まれる負の屈折力を持つレンズの材質中、最も高い屈折率を持つものの部分分散比（ｎｇ−ｎＦ）／（ｎＦ−ｎｃ）：ＰｇＦ２ＧＮが条件：
（１）  ４．０  ≦  Ｂｆ／ｆ  ≦  ６．０
（２）    ２    ≦  ｜φ１Ｇ｜／φ２Ｇ  ≦  ３
（３）    ｎ２ＧＮ≧  １．８７
（４）  ＰｇＦ２ＧＮ  ≦  ０．６
を満足する（請求項１）。
【００４９】
また、第１レンズ群Ｉの最も拡大側に位置するレンズ面から、最も反射部材寄りに位置するレンズ面までの光軸上における距離：Ｌ１Ｇ、
第１レンズ群Ｉの最も拡大側に位置するレンズ面から、第２レンズ群ＩＩの最も縮小側に位置するレンズ面までの光軸上における距離：ＯＡＬ
は条件：
（５）  ０．１  ≦  Ｌ１Ｇ／ＯＡＬ  ≦  ０．３      
を満足し（請求項２）、第１レンズ群は２枚のレンズからなり、
第１レンズ群Ｉの拡大側から２番目のレンズの拡大側の面の曲率半径：Ｌ２Ｒ１、
第１レンズ群Ｉの拡大側から２番目のレンズの縮小側の面の曲率半径：Ｌ２Ｒ２
が条件：
（６）  ５．０  ≦  ｜Ｌ２Ｒ１｜／Ｌ２Ｒ２
を満足する（請求項３）。また、第１レンズ群Ｉと第２レンズ群ＩＩの間に絞りＳＴを有する（請求項４）。
【００５０】
さらに、実施例１〜３の投射用レンズとも、第２レンズ群ＩＩが拡大側から順に、正レンズ、負レンズ、正レンズ、正レンズ、負レンズと正レンズが貼り合わされた接合レンズ、正レンズの７枚のレンズを配してなる（請求項５）。
【００５１】
従って、光源の光を画像表示用デバイスに通過させ、画像情報を持たされた光を、図１１に示すように透過型スクリーンＳＣの背面から拡大投射表示する公知のリア型プロジェクタ装置に、投射用レンズＰＬとして、上記実施例１〜３の適宜のものを搭載することによりコンパクトでありながら高精細な画像を表示することが可能である（請求項６）。なお、図１１において、符号ＲＦ１は投射用レンズＰＬからの結像光束を透過型スクリーンＳＣに向けて反射する反射面を示す。
【図面の簡単な説明】
【００５２】
【図１】この発明の投射用レンズを説明するための図である。
【図２】実施例１の投射用レンズの断面図を光路の折り曲げを省略した状態で示す図である。
【図３】実施例１の投射用レンズに関する縦収差図である。
【図４】実施例１の投射用レンズに関する横収差図である。
【図５】実施例２の投射用レンズの断面図を光路の折り曲げを省略した状態で示す図である。
【図６】実施例２の投射用レンズに関する縦収差図である。
【図７】実施例２の投射用レンズに関する横収差図である。
【図８】実施例３の投射用レンズの断面図を光路の折り曲げを省略した状態で示す図である。
【図９】実施例３の投射用レンズに関する縦収差図である。
【図１０】実施例３の投射用レンズに関する横収差図である。
【図１１】プロジェクタ装置の実施の１形態を説明するための図である。
【符号の説明】
【００５３】
Ｉ      第１レンズ群
ＩＩ    第２レンズ群
ＲＦ    反射部材
ＳＴ    絞り
ＣＧ    カバーガラス等
【図１】
2006235372.tif 000003
【図２】
2006235372.tif 000004
【図３】
2006235372.tif 000005
【図４】
2006235372.tif 000006
【図５】
2006235372.tif 000007
【図６】
2006235372.tif 000008
【図７】
2006235372.tif 000009
【図８】
2006235372.tif 000010
【図９】
2006235372.tif 000011
【図１０】
2006235372.tif 000012
【図１１】
2006235372.tif 000013